【手続補正書】
【提出日】平成20年9月8日(2008.9.8)
【手続補正１】
【補正対象書類名】特許請求の範囲
【補正対象項目名】全文
【補正方法】変更
【補正の内容】
【特許請求の範囲】
【請求項１】
被写体を撮影し、撮影画像データを生成する撮影手段を有する撮像装置であって、
ユーザによる撮影準備の指示を受け付ける第１の操作スイッチと、
ユーザによる撮影の指示を受け付ける第２の操作スイッチと、
他の撮像装置と情報を送受信する通信手段と、
前記第１の操作スイッチが操作された場合、前記撮像装置に設定されている撮影パラメータ値を、前記通信手段を介して前記他の撮像装置に送信し、前記第２の操作スイッチが操作された場合、撮影命令を、前記通信手段を介して前記他の撮像装置に送信するように制御する制御手段と
を有することを特徴とする撮像装置。
【請求項２】
前記撮影手段によって生成された撮影画像データを記憶媒体に記憶させる記憶手段をさらに有し、
前記制御手段は、前記記憶媒体に記憶された撮影画像データを、前記通信手段を介して前記他の撮像装置に送信することを特徴とする請求項１に記載の撮像装置。
【請求項３】
前記記憶媒体に前記撮影画像データを記憶させることが不可能な状態の場合、前記制御手段は、前記撮影画像データを前記記憶媒体に記憶させずに、前記通信手段により前記他の撮像装置に送信することを特徴とする請求項２に記載の撮像装置。
【請求項４】
前記第２の操作スイッチが操作された場合、前記制御手段は、撮影命令を、前記通信手段を介して前記他の撮像装置に送信するとともに、前記撮影手段により被写体を撮影するように制御することを特徴とする請求項１〜３のいずれかに記載の撮像装置。
【請求項５】
被写体を撮影し、撮影画像データを生成する撮影手段を有する撮像装置であって、
他の撮像装置と情報を送受信する通信手段と、
前記撮像装置の動作を制御する制御手段と
を有し、
前記通信手段は、前記他の撮像装置から送信された、前記他の撮像装置に設定されている撮影パラメータ値、撮影命令および撮影画像データを受信し、
前記制御手段は、前記通信手段によって前記撮影命令を受信したときに、前記通信手段によって既に受信されている、前記他の撮像装置の撮影パラメータ値に基づいて被写体を撮影するように、前記撮像手段を制御する
ことを特徴とする撮像装置。
【請求項６】
前記通信手段によって受信された撮影画像データ、および前記撮影手段によって生成された撮影画像データを記憶媒体に記憶させる記憶手段をさらに有し、
前記制御手段は、前記記憶媒体に記憶された撮影画像データを、前記通信手段を介して前記他の撮像装置に送信することを特徴とする請求項５に記載の撮像装置。
【請求項７】
前記記憶手段は、前記通信手段によって受信された撮影画像データと、前記撮影手段によって生成された撮影画像データとを対応付けて記憶させることを特徴とする請求項６に記載の撮像装置。
【請求項８】
前記記憶媒体に前記撮影画像データを記憶させることが不可能な状態の場合、前記制御手段は、前記通信手段によって受信された撮影画像データを前記記憶媒体に記憶させず、さらに、前記撮影手段によって生成された撮影画像データを前記記憶媒体に記憶させずに、前記通信手段によって前記他の撮像装置に送信するように制御することを特徴とする請求項６に記載の撮像装置。
【請求項９】
前記通信手段によって受信された撮影パラメータ値を表示する表示手段をさらに有することを特徴とする請求項５に記載の撮像装置。
【請求項１０】
被写体を撮影し、撮影画像データを生成する撮影手段を有する撮像装置を制御する制御方法であって、
通信手段を介して、他の撮像装置と情報を送受信する通信ステップと、
ユーザによる撮影準備の指示を受け付ける第１の操作スイッチが操作された場合、前記撮像装置に設定されている撮影パラメータ値を、前記通信ステップによって前記他の撮像装置に送信し、ユーザによる撮影の指示を受け付ける第２の操作スイッチが操作された場合、撮影命令を、前記通信ステップによって前記他の撮像装置に送信するように制御する制御ステップと
を有することを特徴とする撮像装置の制御方法。
【請求項１１】
被写体を撮影し、撮影画像データを生成する撮影手段を有する撮像装置を制御する制御方法であって、
通信手段を介して、他の撮像装置と情報を送受信する通信ステップと、
前記撮像装置の動作を制御する制御ステップと
を有し、
前記通信ステップでは、前記他の撮像装置から送信された、前記他の撮像装置に設定されている撮影パラメータ値、撮影命令および撮影画像データを受信し、
前記制御ステップでは、前記通信ステップによって前記撮影命令を受信したときに、前記通信ステップによって既に受信されている、前記他の撮像装置の撮影パラメータ値に基づいて被写体を撮影するように、前記撮像手段を制御する
ことを特徴とする撮像装置の制御方法。
【請求項１２】
請求項１０または１１に記載の撮像装置の制御方法を、コンピュータに実行させるためのプログラム。
【手続補正２】
【補正対象書類名】明細書
【補正対象項目名】０００７
【補正方法】変更
【補正の内容】
【０００７】
上述目的を達成するため、請求項１に記載の撮像装置は、被写体を撮影し、撮影画像データを生成する撮影手段を有する撮像装置であって、ユーザによる撮影準備の指示を受け付ける第１の操作スイッチと、ユーザによる撮影の指示を受け付ける第２の操作スイッチと、他の撮像装置と情報を送受信する通信手段と、前記第１の操作スイッチが操作された場合、前記撮像装置に設定されている撮影パラメータ値を、前記通信手段を介して前記他の撮像装置に送信し、前記第２の操作スイッチが操作された場合、撮影命令を、前記通信手段を介して前記他の撮像装置に送信するように制御する制御手段とを有することを特徴とする。
【手続補正３】
【補正対象書類名】明細書
【補正対象項目名】０００８
【補正方法】変更
【補正の内容】
【０００８】
上記目的を達成するため、請求項５に記載の撮像装置は、被写体を撮影し、撮影画像データを生成する撮影手段を有する撮像装置であって、他の撮像装置と情報を送受信する通信手段と、前記撮像装置の動作を制御する制御手段とを有し、前記通信手段は、前記他の撮像装置から送信された、前記他の撮像装置に設定されている撮影パラメータ値、撮影命令および撮影画像データを受信し、前記制御手段は、前記通信手段によって前記撮影命令を受信したときに、前記通信手段によって既に受信されている、前記他の撮像装置の撮影パラメータ値に基づいて被写体を撮影するように、前記撮像手段を制御することを特徴とする。
【手続補正４】
【補正対象書類名】明細書
【補正対象項目名】０００９
【補正方法】変更
【補正の内容】
【０００９】
上記目的を達成するため、請求項１０に記載の撮像装置の制御方法は、被写体を撮影し、撮影画像データを生成する撮影手段を有する撮像装置を制御する制御方法であって、通信手段を介して、他の撮像装置と情報を送受信する通信ステップと、ユーザによる撮影準備の指示を受け付ける第１の操作スイッチが操作された場合、前記撮像装置に設定されている撮影パラメータ値を、前記通信ステップによって前記他の撮像装置に送信し、ユーザによる撮影の指示を受け付ける第２の操作スイッチが操作された場合、撮影命令を、前記通信ステップによって前記他の撮像装置に送信するように制御する制御ステップとを有することを特徴とする。
【手続補正５】
【補正対象書類名】明細書
【補正対象項目名】００１０
【補正方法】変更
【補正の内容】
【００１０】
上記目的を達成するため、請求項１１に記載の撮像装置の制御方法は、被写体を撮影し、撮影画像データを生成する撮影手段を有する撮像装置を制御する制御方法であって、通信手段を介して、他の撮像装置と情報を送受信する通信ステップと、前記撮像装置の動作を制御する制御ステップとを有し、前記通信ステップでは、前記他の撮像装置から送信された、前記他の撮像装置に設定されている撮影パラメータ値、撮影命令および撮影画像データを受信し、前記制御ステップでは、前記通信ステップによって前記撮影命令を受信したときに、前記通信ステップによって既に受信されている、前記他の撮像装置の撮影パラメータ値に基づいて被写体を撮影するように、前記撮像手段を制御することを特徴とする。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００４２
【補正方法】変更
【補正の内容】
【００４２】
このようにして、１台のカメラを操作するだけで、簡単に２台のカメラによるステレオ画像を撮影することができる。また、撮影画像は、自動的に両方のカメラの記録メディアに書き込まれるので、カメラの所有者がそれぞれ違う場合でも、画像交換の手間を省くことができる。さらに、所有者が同じであっても、ＰＣ（パーソナルコンピュータ）等に画像を取り込む場合に、１台のカメラから両方のカメラで撮影された画像を取り込むことが可能となり、これにより、画像をＰＣ等に取り込む際のユーザの負担を低減させることができる。
【手続補正９】
【補正対象書類名】明細書
【補正対象項目名】００７０
【補正方法】変更
【補正の内容】
【００７０】
このようにして、１台のカメラを操作するだけで、簡単に２台のカメラによるステレオ画像を撮影することができる。また、どちらかのカメラの記録メディアが記録不可能な状態であっても、記録不可能な側のカメラのＲＡＭから記録可能な側のカメラに撮像画像が送信されるので、両方のカメラで撮影した画像を記録メディアに残すことができるとともに、記録メディアが記憶不可能状態であるかどうかを事前に確認せずに済み、撮影前のユーザの負担を低減させることができる。